(57)【要約】      （修正有）【課題】耐水性を備える提灯等の照明具を提供する。【解決手段】火袋１１０と、光源１５０とを備えた照明具１００であって、火袋１１０の上端１２０と下端１３０は、開口しており、火袋１１０の上端１２０の開口１２１は、火袋１１０の内側に向けて発光する光源１５０を備えた蓋部１４０によって閉じられており、火袋１１０の下端１３０の開口１３１には、火袋１１０の内側の空間１１１と外部とを連通する枠部１６０が取り付けられている。【選択図】図１
0003222856.tif 000002
【実用新案登録請求の範囲】
【請求項１】
火袋と、光源とを備えた照明具であって、
前記火袋の上端と下端は、開口しており、
前記火袋の上端の開口は、前記火袋の内側に向けて発光する光源を備えた蓋部によって閉じられており、
前記火袋の下端の開口には、前記火袋の内側の空間と外部とを連通する枠部が取り付けられていることを特徴とする照明具。
【請求項２】
前記火袋は、耐水紙と骨組部材とで構成されており、
前記骨組部材の合成樹脂製の被覆は有機溶剤により溶かされて、前記耐水紙と接着していることを特徴とする請求項１に記載の照明具。
【考案の詳細な説明】
【技術分野】
【０００１】
本考案は、屋外等で使用される提灯等の照明具に関するものである。
【背景技術】
【０００２】
従来から、提灯等の照明具は屋外で使用されており、提灯の火袋の底面に設けられた電球やろうそく等の光源によって、周囲を明るく照らしていた。そして、雨等が降ってきた場合は、提灯を屋内へ片付けることが、提灯の品質を保つためには好ましいとされていた。もし、提灯が雨晒しになると、火袋の上端の開口から内部に雨水が入り込み、光源が消える原因や光源の故障の原因、さらに、紙で構成される火袋が破れたり剥がれたりする原因にもなるからである。ただ、提灯を屋内へ片付けるのにも手間がかかるため、提灯を片付けることなく屋外へ設置したままとなり、提灯が雨晒しになる場合も多々あるのが実状であった。
【考案の概要】
【考案が解決しようとする課題】
【０００３】
そこで、本考案は上記問題に鑑み、耐水性を備える提灯等の照明具を提供するものである。
【課題を解決するための手段】
【０００４】
上記課題を解決するために、本考案の照明具は、火袋と、光源とを備えた照明具であって、前記火袋の上端と下端は、開口しており、前記火袋の上端の開口は、前記火袋の内側に向けて発光する光源を備えた蓋部によって閉じられており、前記火袋の下端の開口には、前記火袋の内側の空間と外部とを連通する枠部が取り付けられていることを特徴とする。
【０００５】
当該特徴のように、火袋の上端の開口が蓋部によって閉じられ、上端の開口から火袋内に雨水等が侵入することを防止することで、高い耐水性を備え、火袋が剥がれる事や光源が故障する事が無いのである。
【０００６】
さらに、上記課題を解決するために、本考案の照明具は、前記火袋は、耐水紙と骨組部材とで構成されており、前記骨組部材の合成樹脂製の被覆は有機溶剤により溶かされて、前記耐水紙と接着していることを特徴とする。
【０００７】
当該特徴のように、骨組部材の合成樹脂製の被覆を有機溶剤で溶かして、耐水紙と接着させているため、仮に接着部分に雨水等が付着しても、骨組部材から耐水紙から剥がれる事は無く、高い耐水性を備えるのである。
【考案の効果】
【０００８】
上記の本考案によれば、耐水性を備える提灯等の照明具を提供できる。
【図面の簡単な説明】
【０００９】
【図１】本考案の照明具の全体斜視図である。
【図２】（ａ）は本考案の照明具の平面図、（ｂ）は本考案の照明具の底面図である。
【図３】図２（ａ）におけるＡ−Ａ断面図である。
【符号の説明】
【００１０】
１００        照明具
１１０        火袋
１１１        空間
１２０        上端
１２１        開口
１３０        下端
１３１        開口
１４０        蓋部
１５０        光源
１６０        枠部
【考案を実施するための形態】
【００１１】
以下に、本考案の実施の形態について、図面を用いて説明する。なお、以下の説明において参照する各図の形状は、好適な形状寸法を説明する上での概念図又は概略図であり、寸法比率等は実際の寸法比率とは必ずしも一致しない。つまり、本考案は、図面における寸法比率に限定されるものではない。
【００１２】
図１から図３は、本考案に係る照明具１００を示すもので、図１は照明具１００の全体斜視図、図２（ａ）は照明具１００の平面図、図２（ｂ）は照明具１００の底面図、図３は図２（ａ）におけるＡ−Ａ断面図である。
【００１３】
図１から図３に示すように、提灯の態様をした照明具１００は、耐水紙１１２で構成された円筒状の火袋１１０と、火袋１１０の内側に向けて発光する光源１５０を備えている。この火袋１１０は、上端１２０と下端１３０とが開口している円筒形状をしており、上端１２０の開口１２１は、蓋部１４０によって閉じられている。この蓋部１４０は、木材やプラスチック等の固い材質で構成されており、開口１２１を覆うことができる大きさの円盤形状をしている。また、上面側に略コ字状の係止部１４１を備えており、この係止部１４１を建物等の一部に係止させることで、照明具１００を吊り下げるように設置することが出来る。なお、蓋部１４０は、火袋１１０の開口１２１周辺と強固に固定されているので、不用意に外れることはない。また、照明具１００は、建物等の一部に吊り下げる態様の提灯となっているが、これに限定されず、手に持つタイプの提灯やぼんぼりなど、その他の任意の照明具であってもよい。
【００１４】
また、図３に示すように、蓋部１４０の下面側には光源１５０が設けられており、この光源１５０の発光部１５１が火袋１１０の内側の内部空間１１１に向くようになっている。そして、発光部１５１から発せられた光が、火袋１１０の内部空間１１１へ進んでいき、内部空間１１１から外部へ向けて周囲に拡散することで、照明具１００の周辺を明るく照らすことが出来る。また、この光源１５０は、既存の光源を適宜利用できるもので、例えば、ＬＥＤで構成した光源としてもよい。その場合は、光源１５０には、ＬＥＤで構成された発光部１５１と、ＬＥＤに電力を供給する電池等の電源が設けられる。
【００１５】
また、図３に示すように、照明具１００の下端１３０には、当該下端１３０の開口１３１と連通するように枠部１６０が取り付けられている。この枠部１６０は、木材やプラスチック等の固い材質で構成されており、円筒形状をしている。また、枠部１６０の上端開口１６２が火袋１１０の開口１３１に固定されており、枠部１６０の下端開口１６３は、外部に向けて開口した状態となっている。そのため、火袋１１０の内部空間１１１は、枠部１６０を介して外部と連通した状態となっている。そして、この枠部１６０を介して、外部側から火袋１１０内に手を入れて、光源１５０の修理や交換等を行うことができる。また、照明具１００を折り畳んで収容する際に、火袋１１０の内部空間１１１の空気を、枠部１６０を介して外部へ逃がすことが出来るので、折り畳み作業が行いやすいのである。なお、枠部１６０には、略コ字状の係止部１６１が下端開口１６３を跨ぐように設けられており、係止部１６１には、下方へ垂れ下がるように総等の装飾品を取り付けることが出来る。
【００１６】
次に、図３を参照して、火袋１１０の構成について詳しく説明する。火袋１１０は、環状の骨組部材１７０を上下に複数並列させた状態で、骨組部材１７０の外側から耐水紙１１２を貼り合わせることで、略円筒形状に形成されている。この耐水紙１１２は、和紙等の素材で出来ており、内部空間１１１から外部へ光を透過させることが出来る。さらに、耐水紙１１２に強い耐水性を持たせるために、耐水紙１１２の表面に樹脂塗料を塗布してもよい。なお、図３では、耐水紙１１２に強い耐水性を持たせるために、アクリルポリウレタン樹脂塗料を塗布しているが、これに限定されず、耐水紙１１２は耐水性を備えていれば、透光性と柔軟性を備えた樹脂製の素材等やその他の任意の素材によって形成してもよい。
【００１７】
また、線状の骨組部材１７０は、内部に金属製のワイヤーを備え、その周囲をビニル樹脂等の合成樹脂の被覆で覆った構成となっている。そして、骨組部材１７０の外側に耐水紙１１２を貼り合せる際は、骨組部材１７０の表面にシンナー等の有機溶剤を塗り、骨組部材１７０の表面の被覆を溶かし、その溶けた被覆が耐水紙１１２と接着することで、骨組部材１７０に耐水紙１１２が貼り付けられている。なお、図３では、骨組部材１７０が合成樹脂製の被覆で覆われた鋼線となっており、その被覆にシンナーを塗り、溶けた被覆と耐水紙１１２とを接着させているが、これに限定されず、骨組部材１７０は、有機溶剤を塗ることで溶ける素材で出来た被覆を備えたものであれば、任意の線状部材を利用してもよい。
【００１８】
このように、本考案の照明具１００によれば、火袋１１０の上端１２０の開口１２１が蓋部１４０によって閉じられている。そのため、上端１２０の開口１２１から火袋１１０内に雨水等が侵入することを防止することで高い耐水性を備え、火袋１１０の一部が剥がれる事や光源１５０が故障する事が無いのである。さらに、本考案の照明具１００によれば、火袋１１０は、耐水紙１１２と骨組部材１７０とで構成されており、骨組部材１７０の合成樹脂製の被覆を有機溶剤で溶かして、耐水紙１１２と接着させている。そのため、仮に接着部分に雨水等が付着しても、骨組部材１７０から耐水紙１１２から剥がれる事は無く、高い耐水性を備えるのである。
【００１９】
なお、本考案の照明具は、上記の実施例に限定されず、実用新案登録請求の範囲に記載された範囲、実施形態の範囲で、種々の変形例、組み合わせが可能であり、これらの変形例、組み合わせも本考案の範囲に含むものである。
【図１】
0003222856.tif 000003
【図２】
0003222856.tif 000004
【図３】
0003222856.tif 000005